(57)【要約】      （修正有）【課題】一般的な地面、又は濡れた地面で歩くときに滑り止め効果を得ることができる歩行補助道具用石突きを提供する。【解決手段】連接柱３２と、適当の角度を置いて連接柱の周面から外下方向に延びる少なくとも三つの脚柱３５と、を有し、各脚柱の下端に収容空間が設けられ、収容空間の下縁が脚柱の底面を貫通する本体３０と、ロッド状を呈し、一端が枢着端であり、枢着端は脚柱の収容空間に枢着される少なくとも三つの爪５０と、を含めて構成する。ここで、各爪を引いて回転するときには、収容空間に爪を収容でき、或いは引出位置に爪を定位でき、爪が引出位置に位置するときに、爪の自由端は、収容空間から引出されて、各脚柱の底面から突出する。【選択図】図２
0003172477.tif 000002
【実用新案登録請求の範囲】
【請求項１】
連接柱と、適当な角度を置いて前記連接柱の周面から外下方向に延びる少なくとも三つの脚柱と、を有し、前記各脚柱の下端に収容空間が設けられ、前記収容空間の下縁が前記脚柱の底面を貫通する本体と、
ロッド状を呈し、一端が枢着端であり、前記枢着端は前記脚柱の前記収容空間に枢着される少なくとも三つの爪と、
を含み、
前記各爪を引いて回転するときには、前記収容空間に前記爪を収容でき、或いは引出位置に前記爪を定位でき、前記爪が前記引出位置に位置するときに、前記爪の前記自由端は、前記収容空間から引出されて、前記各脚柱の底面から突出することを特徴とする歩行補助道具用石突き。
【請求項２】
前記各爪が前記引出位置に位置決められるときに、前記各爪の前記自由端が外側へある角度で傾斜していることを特徴とする、請求項１に記載の歩行補助道具用石突き。
【請求項３】
前記各収容空間は、内端と、外端と、を有し、前記外端は封止端であり、前記各爪が前記引出位置に位置決められるときには、前記各爪が前記収容空間の前記封止端に当接することを特徴とする、請求項２に記載の歩行補助道具用石突き。
【請求項４】
更に、少なくとも三つの当接具を含み、前記各当接具は、前記各収容空間にそれぞれ組み付けられ、二つの側壁と、前記二つ側壁と連接する立設壁と、を少なくとも有し、前記各爪の前記枢着端は前記当接具の前記二つの側壁の間に枢着され、前記各爪が前記引出位置に位置決められるときには、前記各爪が前記当接具の前記立設壁に当接することを特徴とする、請求項１に記載の歩行補助道具用石突き。
【請求項５】
前記各当接具の前記立設壁が傾斜しており、前記爪の前記自由端が外側へある角度で傾斜していることを特徴とする、請求項４に記載の歩行補助道具用石突き。
【請求項６】
前記各収容空間は、内端と、外端と、を有し、前記外端は封止端であり、前記各当接具の前記立設壁は前記収容空間の前記封止端に位置することを特徴とする、請求項４に記載の歩行補助道具用石突き。
【請求項７】
前記各収容空間の下縁にある開口処の幅は、前記各収容空間の内部の幅よりも小さく、前記各爪の直径は、前記各収容空間の前記開口処の幅よりも大きいことを特徴とする、請求項１から請求項６の何れかに記載の歩行補助道具用石突き。
【請求項８】
前記各収容空間は、内端と、外端と、を有し、前記内端は前記脚柱の内壁面と連通し、前記各爪が前記各収容空間に収容されているときに、前記各爪の前記自由端は前記脚柱の前記内壁面から突出することを特徴とする、請求項１から請求項６の何れかに記載の歩行補助道具用石突き。
【請求項９】
少なくとも一つの前記脚柱の周面には、反射片が少なくとも一つ設けられることを特徴とする、請求項１から請求項６の何れかに記載の歩行補助道具用石突き。
【請求項１０】
前記傾斜角度は５度〜１５度の範囲にあることを特徴とする、請求項２に記載の歩行補助道具用石突き。
【考案の詳細な説明】
【技術分野】
【０００１】
本考案は、歩行補助道具に関し、特に、歩行補助道具用石突きに関するものである。
【背景技術】
【０００２】
杖などの下端に歩行補助道具用石突きを設けるこが一般的であり、これにより、杖などの地面との接触面積を増加できる。多数の歩行補助道具用石突きは、ゴムや樹脂などの撓み性を有する素材で作製され、これにより、緩衝効果を得ることができ、そして地面との摩擦力を増加できる。しかし、このような歩行補助道具用石突きによれば、例えば雪面などの濡れた地面で歩くときには、杖などが滑る危険性がある。
【０００３】
図１に示すように、特許文献１の歩行補助道具用石突き１０は、撓み性を有する素材で作製され、円錐状を呈する本体１２と、本体１２の下端に固定されるブロック１４と、を有する。本体１２の上端にあるスリーブ１３に杖１５を挿入して連接できる。滑り止め円錐１６は、ブロック１４を挿通して本体１２のねじ穴１７に螺着される。滑り止め円錐１６の先端１６１は下方に向いている。バネ１８は本体１２の内部に設けられる。バネ１８により、外力を受けているときには、滑り止め円錐１６が下方に向いているように外部に突出する。このように、雪面などの濡れた地面で歩くときには、滑り止め円錐１６が雪面などに挿し込み、滑り止め効果を得ることができる。なお、一般的な地面で歩くときには、ねじ穴１７から滑り止め円錐１６を緩めて取り外すことが必要である。
【０００４】
このような歩行補助道具用石突き１０によれば、雪面などの濡れた地面で歩くときに、滑り止め効果を得ることができるが、一般的な地面で歩くときに、ねじ穴１７から滑り止め円錐１６を緩めて取り外すことが必要であるため、体の不自由な方にとって、使用が極めて不便である。
【０００５】
また、身の回りに滑り止め円錐１６を携帯することが必要であるため、滑り止め円錐１６が紛失したとき、雪面などの濡れた地面で歩くことができなくなる。
【先行技術文献】
【特許文献】
【０００６】
【特許文献１】台湾実用新案第１５８９４７号公報
【考案の概要】
【考案が解決しようとする課題】
【０００７】
本考案の主な目的は、一般的な地面、又は濡れた地面で歩くときに滑り止め効果を得ることができる歩行補助道具用石突きを提供することにある。
【０００８】
本考案の次の目的は、一般的な地面、又は濡れた地面に応じて、使用の形態を快速に変更でき、そして爪を紛失することはない歩行補助道具用石突きを提供することにある。
【課題を解決するための手段】
【０００９】
本考案の歩行補助道具用石突きによると、連接柱と、適当の角度を置いて連接柱の周面から外下方向に延びる少なくとも三つの脚柱と、を有し、各脚柱の下端に収容空間が設けられ、収容空間の下縁が脚柱の底面を貫通する本体と、
ロッド状を呈し、一端が枢着端であり、枢着端は脚柱の収容空間に枢着される少なくとも三つの爪と、
を含み、
各爪を引いて回転するときには、収容空間に爪を収容でき、或いは引出位置に爪を定位でき、爪が引出位置に位置するときに、爪の自由端は、収容空間から引出されて、各脚柱の底面から突出することを特徴とする。
【００１０】
本考案の歩行補助道具用石突きによると、各爪が引出位置に位置決められるときに、各爪の自由端が外側へある角度で傾斜していることを特徴とする。
【００１１】
本考案の歩行補助道具用石突きによると、各収容空間は、内端と、外端と、を有し、外端は封止端であり、各爪が引出位置に位置決められるときには、各爪が収容空間の封止端に当接することを特徴とする。
【００１２】
本考案の歩行補助道具用石突きによると、更に、少なくとも三つの当接具を含み、各当接具は、各収容空間にそれぞれ組み付けられ、二つの側壁と、二つ側壁と連接する立設壁と、を少なくとも有し、各爪の枢着端は当接具の二つの側壁の間に枢着され、各爪が引出位置に位置決められるときには、各爪が当接具の立設壁に当接することを特徴とする。
【００１３】
本考案の歩行補助道具用石突きによると、各当接具の立設壁が傾斜しており、爪の自由端が外側へある角度で傾斜していることを特徴とする。
【００１４】
本考案の歩行補助道具用石突きによると、各収容空間は、内端と、外端と、を有し、外端は封止端であり、各当接具の立設壁は収容空間の封止端に位置することを特徴とする。
【００１５】
本考案の歩行補助道具用石突きによると、各収容空間の下縁にある開口処の幅は、各収容空間の内部の幅よりも小さく、各爪の直径は、各収容空間の開口処の幅よりも大きいことを特徴とする。
【００１６】
本考案の歩行補助道具用石突きによると、各収容空間は、内端と、外端と、を有し、内端は脚柱の内壁面と連通し、各爪が各収容空間に収容されているときに、各爪の自由端は脚柱の内壁面から突出することを特徴とする。
【００１７】
本考案の歩行補助道具用石突きによると、少なくとも一つの脚柱の周面には、反射片が少なくとも一つ設けられることを特徴とする。
【００１８】
本考案の歩行補助道具用石突きによると、傾斜角度は５度〜１５度の範囲にあることを特徴とする。
【考案の効果】
【００１９】
本考案の歩行補助道具用石突きによれば、次のような効果がある。
（１）一般的な地面、又は濡れた地面で歩くときに滑り止め効果を得ることができる。
【００２０】
（２）一般的な地面、又は濡れた地面に応じて、使用の形態を快速に変更でき、そして爪を紛失することはない。
【図面の簡単な説明】
【００２１】
【図１】図１は従来の歩行補助道具用石突きを示す断面図である。
【図２】図２は本考案の実施例１を示す斜視図である。
【図３】図３は図２の正面図である。
【図４】図４は図３の下方から見た一部の断面図である。
【図５】図５は本考案の実施例１の下方から見た一部の断面図である。
【図６】図６は本考案の爪が外部に露呈する状態を示す正面図である。
【図７】図７は図６の下面図である。
【図８】図８は本考案の実施例２の一部の構成を示す斜視図である。
【図９】図９は本考案の実施例２の一部を示す断面図である。
【考案を実施するための形態】
【００２２】
以下、本考案の実施の形態を図面に基づいて説明する。
【実施例１】
【００２３】
まず、図２乃至図４を参照する。本考案の実施例１の歩行補助道具用石突き２０は、例えば杖１５などの下端に組み付けられ、滑り止め効果を得ることができる。歩行補助道具用石突き２０は、本体３０と、本体３０に組み付けられる若干の爪５０と、を有する。緩衝効果を得るために、本体３０は、ゴムや樹脂などの撓み性を有する素材で作製されてもよい。もちろん、本考案はこれに限定されない。
【００２４】
本体３０は、その上端に設けられる連接柱３２と、適当の角度を置いて連接柱３２の周面から外下方向に延び、地面と接触する少なくとも三つの脚柱３５と、これらの脚柱３５の間に設けられ、連接柱３２の直下に位置する突起３６と、を含む。連接柱３２の上端には、杖１５を挿入して連接可能な挿入穴３３が設けられる。突起３６と各脚柱３５の間はリブ３７によって連接され、これにより、脚柱３５の支持強度を増加できる。突起３６の下端は地面と接触することもできる。各脚柱３５の外面に反射子（例えば反射片３８）が少なくとも一つ設けられる。前記反射子により、夜間に光線を反射できるため、安全性を増加できる。
【００２５】
図４及び図５を参照する。各脚柱３５の下端に収容空間４０が設けられる。収容空間４０の下縁は脚柱３５の底面４２を貫通する。収容空間４０の外端が封止端４０２であり、内端４０１が脚柱３５の内壁面まで貫通することが好ましい。また、収容空間４０の下縁にある開口処の幅がより小さく（例えば表記Ａに示した箇所）、なお、収容空間４０の内部の幅がより大きい。若干の滑り止め条４５は各脚柱３５の底面４２に設けられる。
【００２６】
各脚柱３５に爪５０がそれぞれ設けられる。本実施例では、爪５０は、ロッド状を呈し、一端が枢着端５１であり、枢着端５１が脚柱３５の収容空間４０に枢着される。爪５０の自由端は先端５２である。本体２０の成形は、モールドに枢着ピン５５と爪５０とを先に入れて、本体２０を成形した後、爪５０が脚柱３５に枢着される。或いは本体２０を作製した後、本体２０に爪５０を枢着してもよい。爪５０を枢着した後、爪５０が枢着端５１を中心として旋回できる。
【００２７】
図３及び図４を参照する。一般的な地面で歩行補助道具用石突き２０を利用したいときには、各脚柱３５の収容空間４０に爪５０を収容する。このとき、爪５０は脚柱３５から外部に突出しない。歩行補助道具用石突き２０は、脚柱３５の底面に設けられた滑り止め条４５で地面と接触する。収容空間４０の下縁にある開口処Ａの幅が各爪５０の直径よりも小さいため、爪５０が収容空間４０に収容されるときに、爪５０は、収容空間４０の二つの側壁に弾性的に挟まれて、収容空間４０から容易に脱出できない。一方、爪５０の先端５２は脚柱３５の内壁面から突出するため、爪５０を引くことが容易となる。
【００２８】
また、雪面などの濡れた地面で歩行補助道具用石突き２０を利用したいときには、引出位置に各爪５０を旋回すると、図６及び図７に示すように、爪５０が脚柱３５の底面から突出するため、雪面などの濡れた地面に爪５０の先端５２を挿し込むことができ、滑り止め効果を得ることができ、安全性を増加できる。爪５０を利用しないときには、収容空間４０に爪５０を旋回すると、爪５０が図３及び図４に示した状態に戻る。
【００２９】
外側に各爪５０を旋回したとき、爪５０は、収容空間４０の封止端４０２の壁面に当接して、前記引出位置に位置決められる。このとき、爪５０の自由端は外側へ角度θで傾斜しており、角度θは、５度〜１５度の範囲にあり、１０度であることが好ましい。このように、爪５０の収容空間４０への旋回を回避できる。爪５０が前記引出位置に位置決められるときに、爪５０は、収容空間４０の二つの側壁に弾性的に挟まれて、揺れることができない。
【実施例２】
【００３０】
図８及び図９を参照する。本実施例の構成は、実施例１の構成とほぼ同じであるが、実施例１の構成と異なる点は、更に、金属製の当接具６０を含み、当接具６０は、二つの側壁６２と、二つ側壁６２と連接する立設壁６４と、を有することにある。当接具６０は収容空間４０に組み付けられる。立設壁６４は収容空間４０の封止端４０２に位置する。枢着ピン５５により、爪５０の枢着端５１は当接具６０の二つの側壁６２の間に枢着される。
【００３１】
爪５０は、図９の二点鎖線に示すように、収容空間４０に収容されることができ、これにより、歩行補助道具用石突き２０´は一般的な地面で利用できる。前記引出位置に爪５０を旋回したとき、雪面などの濡れた地面で、歩行補助道具用石突き２０´を利用できる。爪５０が前記引出位置に位置決められるときには、爪５０が当接具６０の立設壁６４に当接すると共に、立設壁６４が傾斜しているため、爪５０が傾斜角度θで傾斜している。
【産業上の利用可能性】
【００３２】
本考案は、歩行補助道具に適用することができる。
【符号の説明】
【００３３】
１５：杖
２０，２０´：歩行補助道具用石突き
３０：本体
３２：連接柱
３３：挿入穴
３５：脚柱
３６：突起
３８：反射片
４０：収容空間
４２：底面
４５：滑り止め条
５０：爪
５１：枢着端
５２：先端（自由端）
５５：枢着ピン
６０：当接具
６２：側壁
６４：立設壁
４０１：内端
４０２：外端（封止端）
Ａ：開口処
θ：傾斜角度
【図１】
0003172477.tif 000003
【図２】
0003172477.tif 000004
【図３】
0003172477.tif 000005
【図４】
0003172477.tif 000006
【図５】
0003172477.tif 000007
【図６】
0003172477.tif 000008
【図７】
0003172477.tif 000009
【図８】
0003172477.tif 000010
【図９】
0003172477.tif 000011